(57)【特許請求の範囲】
【請求項１】
上側用具区分（３）と下側用具区分（４）並びに少なくとも２つの変向ガイドローラ（５，６）を有するクリーニング用具（２）が、クリーニング作業側区分として働く一方の側の用具区分によって被清掃表面を負荷するために設けられており、前記クリーニング用具（２）が、前記変向ガイドローラ（５，６）に対面した方の内側で１つの柔軟な抗張性の支持体ベルト（７）に固着されており、かつ前記クリーニング作業側区分のためのガイド部材（８）を備えた圧着装置が設けられており、該圧着装置が、前記ガイド部材（８）を通走するクリーニング作業側区分の送り運動時に該クリーニング作業側区分を被清掃面に圧着するように構成されている形式の、プラスチックから成るプレート、シート又は積層板の被清掃表面のクリーニング装置（１）において、
支持体ベルト（７）の所定区域が、該支持体ベルト（７）の少なくとも一方の縦辺側で切欠かれ又は面取りされて、その他の長さ区域に対比して狭幅であり、前記クリーニング作業側区分の送り方向で見て前記ガイド部材（８）の少なくとも前部部分（８ａ）が、前記支持体ベルト（７）の内面（７ａ）を負荷しつつ前記送り方向から外方へ向かって変位可能又は撓み可能であり、かつ前記ガイド部材（８）が、前記支持体ベルト（７）の全幅を受容する実質的にＣ字形の横断面を有し、しかも該Ｃ字形の中空横断面幅よりも狭幅の開口スロット（１０）が、前記支持体ベルトの幅よりも小さな幅を有し、しかも該開口スロット幅は、前記支持体ベルト（７）の切欠き区域又は面取り区域に等しいか又は支持体ベルト（７）の切欠き区域又は面取り区域よりも大であることを特徴とする、クリーニング用具による被清掃表面のクリーニング装置。
【請求項２】
クリーニング用具が、剛毛（１１）を植設した支持体ベルト（７）を有するリニアブラシとして構成されており、しかも前記支持体ベルト（７）の幅が、剛毛フィールド幅よりも大であり、かつ該支持体ベルト（７）の、剛毛の植設されていない少なくとも一方の縦辺が、使用位置では、Ｃ字形に成形されたガイド部材（８）によって被せられている、請求項１記載のクリーニング装置。
【請求項３】
支持体ベルト（７）が両方の縦辺に沿ってガイド部材（８）の成形フランジによって被せられており、かつ該支持体ベルトの狭幅区域では両縦辺に切欠き又は面取りが施されている、請求項１又は２記載のクリーニング装置。
【請求項４】
支持体ベルト（７）が平ベルト又はＶベルト或いは場合によっては歯付きベルトである、請求項１から３までのいずれか１項記載のクリーニング装置。
【請求項５】
ガイド部材（８）の変位可能又は撓み可能な前部部分（８ａ）が、前記ガイド部材（８）内への支持体ベルト（７）の進入起点となる変向ガイドローラ（５）の近傍に配置されている、請求項１から４までのいずれか１項記載のクリーニング装置。
【請求項６】
ガイド部材（８）の変位可能又は撓み可能又は旋回可能な前部部分（８ａ）に作業シリンダ（１２）又はレバーが係合しており、該作業シリンダ又はレバーが上側用具区分（３）と下側用具区分（４）との間に係合又は支承されている、請求項１から５までのいずれか１項記載のクリーニング装置。
【請求項７】
ガイド部材（８）又はガイド成形部がクリーニング作業区分から離間移動可能又は離間旋回可能に構成されており、支持体ベルト（７）の狭幅部位に後続するベルト部分が、前記ガイド部材（８）の内向き運動時に該ガイド部材から離脱走行するようになっている、請求項１から６までのいずれか１項記載のクリーニング装置。
【請求項８】
請求項１から７までのいずれか１項記載のクリーニング装置に使用される、少なくとも２つの変向ガイドローラを介して循環する支持体ベルトを有するクリーニング用具において、支持体ベルトが少なくとも一方の縦辺又は互いに対向し合う両縦辺にサイド切欠部（９）を有しており、かつ該サイド切欠部（９）の区域では、これに続く後続区域よりも狭幅であることを特徴とする、クリーニング用具。
【請求項９】
支持体ベルト（７）が、該支持体ベルトによって支持された剛毛フィールドの幅よりも広く、かつサイド切欠部（９）が、前記支持体ベルト（７）の延在方向に対して直角な横方向で見て、剛毛の植設されていない縦辺領域の幅に等しい寸法又はそれよりも小さな寸法を有している、請求項８記載のクリーニング用具。
【請求項１０】
支持体ベルト（７）の最大幅から、サイド切欠部（９）の区域における最小幅部位への移行部に、丸く又は斜めに面取りが施されている、請求項８又は９記載のクリーニング用具。
【発明の詳細な説明】
【０００１】
【発明の属する技術分野】
本発明は、上側用具区分と下側用具区分並びに少なくとも２つの変向ガイドローラを有するクリーニング用具が、クリーニング作業側区分として働く一方の側の用具区分によって被清掃表面を負荷するために設けられており、前記クリーニング用具が、前記変向ガイドローラに対面した方の内側で１つの柔軟な抗張性の支持体ベルトに固着されており、かつ前記クリーニング作業側区分のためのガイド部材を備えた圧着装置が設けられており、該圧着装置が、前記ガイド部材を通走するクリーニング作業側区分の送り運動時に該クリーニング作業側区分を被清掃面に圧着するように構成されている形式の、特にプラスチックから成るプレート、シート又は積層板の被清掃表面のクリーニング装置に関するものである。
【０００２】
【従来の技術】
前記形式のクリーニング装置は例えばドイツ連邦共和国特許出願公開第４２１３３４２号明細書に基づいて公知である。当該特許文献の第１欄第１１行乃至第１４行には、上側用具区分と下側用具区分とに剛毛を有していて１つの循環ブラシを形成しているようなクリーニング用具が記載されている。
【０００３】
このようなクリーニング装置及びクリーニング用具では、該クリーニング用具自体（前記例では要するに剛毛）の摩耗に起因してクリーニング用具を交換せねばならない場合に或る種の問題が生じる。従来公知の装置では、剛毛を植設した同種のベルトを複数本互いに並列に配列できるようにするため、かつ又、このような剛毛植設ベルト又は、前掲ドイツ連邦共和国特許第４２１３３４２号明細書にも記載されているような比肩可能なクリーニング用具を交換できるようにするためにガイド部材は分割構成されている。これによって剛毛植設ベルトは一面においてガイド部材内に少なくとも部分的に包囲されて確実かつ良好に保持されるが、それにも拘わらず前記の分割可能なガイド部材を分解することによって、剛毛植設ベルトをガイド部材内へ挿入したり、また該ガイド部材から取り出したりすることが可能である。
【０００４】
しかしながら、このような分割式のガイド部材の場合、分割式ガイド部材の組立経費と複雑性以外に、結合手段が必要になることに基づいてそれに応じて所要スペースも大きくなる。
【０００５】
【発明が解決しようとする課題】
そこで本発明の課題は、冒頭で述べた形式のクリーニング装置を改良して、ガイド部材のために必要とする所要スペースを少なくし、しかもエンドレスの形態にも拘わらず単数又は複数のクリーニング用具を、該クリーニング用具に被さるガイド部材内へ簡単に導入できるように構成することである。
【０００６】
【課題を解決するための手段】
前記課題を解決するための本発明の構成手段は、支持体ベルトの所定区域が、該支持体ベルトの少なくとも一方の縦辺側で切欠かれ又は面取りされて、その他の長さ区域に比して狭幅であり、クリーニング作業側区分の送り方向で見てガイド部材の少なくとも前部部分が、前記支持体ベルトの内面を負荷しつつ前記送り方向から外方へ向かって変位可能又は撓み可能であり、かつ前記ガイド部材が、前記支持体ベルトの全幅を受容する実質的にＣ字形の横断面を有し、しかも該Ｃ字形の中空横断面幅よりも狭幅の開口スロットが、前記支持体ベルトの幅よりも小さな幅を有し、しかも該開口スロット幅は、前記支持体ベルトの切欠き区域又は面取り区域に等しいか又は支持体ベルト（７）の切欠き区域又は面取り区域よりも大である点にある。
【０００７】
【作用】
このように構成すれば、支持体ベルトがエンドレス循環式であるにも拘わらず、支持体ベルトをガイド部材内へ挿通するために該ガイド部材をわざわざ分割式に構成する必要がなくなる。つまり該支持体ベルトは変向ガイドローラ及びガイド部材の外面側に沿って単に配置されればよい。次いでクリーニング作業側区分の送り方向で見て前記ガイド部材の前部部分が外方へ向かって変位され、その際に支持体ベルトの内面側を負荷すると、該支持体ベルトは、その切欠かれた又は面取りされた区域がガイド部材の始端部に到達した時に該ガイド部材内へ滑り込むことができる。
【０００８】
要するにガイド部材が外向きに変位可能でありかつ支持体ベルトが適当な区域に切欠部を有していることに基づいて事実上、支持体ベルトの自動的な挿通操作を実施することが可能である。しかもガイド部材の変位可能な前端部は変向ガイドローラの近傍に位置しているので、支持体ベルトに作用する内向きの力成分が付加的に該支持ベルトをガイド部材の始端部内へ押し込めることになり、しかもこの押し込め作用は、支持体ベルトの切欠部区域が他の区域に比してより狭幅の寸法を有していることによって助成される。支持体ベルトの切欠部区域がガイド部材内に押し込められると、支持体ベルトの再び幅広になる後続ベルト区分は通常のようにガイド部材によって捕捉される。要するに支持体ベルトの狭幅区域がガイド部材の全体を超えて移動した時点には、支持体ベルトは全体的に挿通されたことになり、かつガイド部材の変位は、既にその時点の少し前にか又は遅くともこの時点には解消することができる。
【０００９】
【発明の実施の形態】
クリーニング用具は、有利には剛毛を植設した支持体ベルトを有するリニアブラシとして構成することができ、しかも前記支持体ベルトの幅は、剛毛フィールド幅よりも大であり、かつ該支持体ベルトの剛毛の植設されていない少なくとも一方の縦縁部は使用位置では、Ｃ字形に成形されたガイド部材によって被せられている。要するに前記のＣ字形と被さりは、支持体ベルトの一方の縦縁部にだけ関わっていれば充分である。その場合、挿通操作時にこのガイド部材領域が、切欠かれた部位に続く支持体ベルトに係合して該支持体ベルトを下から支持できるようにするために前記ガイド部材の被さる縦縁部領域に切欠部又は面取り部が設けられねばならない。
【００１０】
要するにガイド部材と支持体ベルトとを本発明のように構成することによって、ガイド部材を縦方向に分割することは無用になるので、これによってガイド部材の更なるスペース節減が得られる。
【００１１】
支持体ベルトが両方の縦縁部に沿ってＣ字形のガイド部材の成形フランジによって被せられており、かつ該支持体ベルトの狭幅区域では両縦辺側面に切欠き又は面取りが施されている場合には、良好なガイドと挿通を達成するために特に有利である。このように構成することによって、操業中におけるクリーニング用具の対称的なガイドと確実な保持が得られ、しかも使用済みの旧クリーニング用具を取り外した後の新クリーニング用具の挿通操作が簡便になる。その場合、旧支持体ベルトを除去するためには、摩耗の故にもはや使用に耐えない場合は簡単に切断することが可能である。
【００１２】
支持体ベルトは平ベルト又はＶベルトあり、場合によっては歯付きベルトであってもよい。Ｖベルトは、相応の変向ガイドローラによって充分高い力で牽引されてガイド部材を通走することができるので、殊に有利である。それというのは該ガイド部材の内部では支持体ベルトは、被清掃表面に対する圧着によって摩擦力も受けているからである。歯付きベルトを用いれば駆動力は、循環する支持体ベルトに対して一層良好に伝達される。Ｖベルトの場合、面取り又は切欠きの施された区域では、該Ｖベルトの内面側に存在している幅が外面側にも存在し、要するにこの区域では楔面が除かれるような扁平化を選ぶことも可能である。
【００１３】
既に述べたように、ガイド部材の変位可能又は撓み可能な前端部分は、前記ガイド部材内への支持体ベルトの進入起点となる変向ガイドローラの近傍に配置することができる。この構成手段は前記の挿通操作を軽便にし、かつ、ガイド部材の変位可能又は撓み可能又は旋回可能な前部部分に作業シリンダ又はレバーを係合させ、該作業シリンダ又はレバーを上側用具区分と下側用具区分との間に係合又は支承させることによって、前記挿通操作を自動化することが可能になる。勿論手動による操作も可能ではあるが、上側用具区分と下側用具区分との間に干渉する必要を避けるためには遠隔操作及び自動化が一層有利である。
【００１４】
本発明によって、支持体ベルトをガイド部材内へ挿通できるのと同様に該ガイド部材からの支持体ベルトの離間を可能にする、著しく有利な実施形態が得られる。本発明のこの実施形態は、ガイド部材又はガイド成形部がクリーニング作業区分から離間移動可能又は離間旋回可能に構成されており、支持体ベルトの狭幅部位に後続するベルト部分が、前記ガイド部材の内向き運動時に該ガイド部材から離脱走行するようになっている点にある。支持体ベルトは張力を有しているので、ガイド部材の内向きの運動によって、Ｃ字形のガイド部材の成形ウェブによって被せられた支持体ベルト部分が、より強い力でもって前記成形ウェブに接触せしめられる。要するに支持体ベルトの狭幅区域がガイド部材の始端部に到達すると、該支持体ベルトはガイド部材に対して半径方向外向きに変位させられるので、該狭幅区域に後続するベルト部分はもはやガイド部材内へは進入せず、要するにガイド部材から「抜き取られる」。
【００１５】
本発明のクリーニング装置の主要部分は要するに、該クリーニング装置において使用されるところの、少なくとも２つの変向ガイドローラを介して循環する支持体ベルトを有するクリーニング用具である。前記の課題を解決するために重要な点は、支持体ベルトが少なくとも一方の縦辺側面又は互いに対向し合う両縦辺側面にサイド切欠部を有しており、かつ該サイド切欠部の区域では、これに続く後続区域よりも狭幅であることである。その場合、支持体ベルトは、該支持体ベルトによって支持された剛毛フィールドの幅よりも広く、かつサイド切欠部が、前記支持体ベルトの延在方向に対して直角な横方向で見て、剛毛の植設されていない縦縁部域の幅に等しい寸法又はそれよりも小さな寸法を有している。クリーニング用具の、このように構成された支持体ベルトは、明細書冒頭で特定した形式のクリーニング装置において使用することができ、かつ、縦辺側面に形成されたサイド切欠部に基づいて、縦方向に延びるガイド部材内へ良好に挿通せしめられ、その場合に必要なことはガイド部材の入口を或る所定の度合変位させることだけであり、これによって先ず支持体ベルトの狭幅区域がガイド部材の縦方向に整合させられるので、該狭幅区域に続く広幅区域は自動的にガイド部材内へ滑り込んで挿通せしめられる。
【００１６】
その場合、特に挿通プロセスを容易にするため、また場合によっては抜き取りプロセスも容易にするために、支持体ベルトの最大幅から、サイド切欠部の区域における最小幅部位への移行部に、丸く又は斜めに面取りを施しておくことも可能である。
【００１７】
【実施例】
次に図面に基づいて本発明の実施例を詳説する。
【００１８】
総体的に符号１で示したクリーニング装置は表面をクリーニングするために使用され、この場合の表面とは、プレートやシートなどの上面又は下面である。図１に示した実施例ではクリーニング装置１は、該装置の下側に位置しているプレート等の上面をクリーニングできるように配置されている。しかし該クリーニング装置１は、１８０゜転回させてプレート等の下面をクリーニングするために同様に使用することもできる。
【００１９】
クリーニング装置１は、総体的に符号２で示したクリーニング用具を装備し、該クリーニング用具は上側用具区分３と下側用具区分４と２つの変向ガイドローラ５，６とを有し、しかも一方の用具区分、つまり図１では下側用具区分４が、クリーニング作業側区分として使用され、被清掃表面を負荷する。図１では、このクリーニングすべき表面は、図示を簡単にするために省かれている。
【００２０】
ドラムとして構成されていてもよい前記の両変向ガイドローラ５，６に面した方の内面側で前記クリーニング用具２は、柔軟な抗張性の支持体帯材又は支持体ベルト７に固着されており、つまり該支持体ベルト７は、エンドレスに循環するクリーニング用具の主要構成部分である。
【００２１】
クリーニング装置１は、クリーニング作業側区分を案内するためのガイド成形部材８を有する圧着装置（図示せず）を装備し、クリーニング作業側区分は前記ガイド成形部材８を通走し、かつ矢印Ｐｆ１で示したガイド成形部材８を通るクリーニング作業側区分の送り方向で、前記圧着装置によって被清掃表面に圧着可能である。この場合の圧着力は任意であり、必要に応じて設定可能である。本実施例では送り方向は矢印Ｐｆ１で示したように左から右へ規定されている。
【００２２】
図１以外の図面では逆の配置形式、要するに下面をクリーニングする場合が示唆されている。
【００２３】
殊に図２乃至図６から判るように、クリーニング用具２に所属する支持体ベルト７は少なくとも一方の縦辺側で（図示の実施例では互いに対向する両縦辺側で）部分的に切欠かれるか又は面取りされ、従ってその他の長さ区域よりも狭幅である。殊に図２では、正確に対向し合ったサイド切欠部９を確認することができる。
【００２４】
クリーニング作業側区分の送り方向で見てガイド成形部材８の前部部分８ａは図１に示したように、送り方向から外方へ向かって支持体ベルト７の内面７ａを負荷しつつ外向き変位可能又は外向き旋回可能又は外向き撓み可能である。しかも該外向き変位は、この変位された区域では下側用具区分４が、その他の区域よりも上側用具区分３から大きく隔たるように行われる。
【００２５】
図３乃至図６によれば前記ガイド成形部材８は、支持体ベルト７の全幅を収容できる実質的にＣ字形の横断面を有している。このＣ字形の中空横断面幅よりも狭幅の開口スロット１０は、前記支持体ベルトの幅よりも小さな幅を有しているが、この幅は、支持体ベルト７の切欠き区域又は面取り区域に等しいか又はそれよりも大である。しかも図３から判る通り、支持体ベルト７に植設された剛毛が前記開口スロット１０を通ってガイド成形部材８から突出することができる。前記幅関係については殊に図３及び図４に基づいて明らかである。
【００２６】
従って図１及び図５の例示から判るように、送り方向で見てガイド成形部材８の前部部分８ａを外向きに変位させることが可能であるので、支持体ベルト７はこの前部部分を介して走行せねばならず、しかも同時に逆向きの張力を得る。サイド切欠部９によって狭幅になった支持体ベルト７の区域がガイド成形部材８の前記の外向きに変位された前部部分８ａの入口域内に到達すると、支持体ベルトは前記の寸法関係に基づいて上方からガイド成形部材８内へ進入することができ、従って支持体ベルト７の切欠かれていない後続区分はその全幅でもってガイド成形部材内へ端面側から進入し、要するに支持体ベルト７を矢印Ｐｆ１の方向に循環させれば自動的に挿通させられる。従って前記の幾何学的関係に基づいて支持体ベルト７は植設された剛毛１１と共に自動的にガイド成形部材８内へ挿通することができ、すなわち新しい支持体ベルト７を組付けるため、或いは後に使用するために、分割されたガイド成形部材を使用する必要はなくなる。ガイド成形部材８はスペースを節減するように成形することができ、また前記のような複数のガイド成形部材を互いに直接隣り合わせに配置することも可能であるので、この場合これらのガイド成形部材内を複数の支持体ベルト７が互いに並行に走行することができる。例えば図５及び図６に示したガイド成形部材は横方向で夫々相応のガイド成形部材を隣接させて、該ガイド成形部材に沿ってやはり相応の支持体ベルト７を走行させることもできる。
【００２７】
すでに述べたように支持体ベルト７は剛毛１１を支持している。要するに本実施例におけるクリーニング用具は、剛毛１１を植設した支持体ベルト７を備えた線運動（リニア）ブラシである。その場合、該支持体ベルト７の幅は剛毛フィールドの幅よりも大であり、かつ図３及び図６に示した使用位置では該支持体ベルト７の剛毛のない両縦辺縁部には、Ｃ字形のガイド成形部材８が被さって係合している。要するに操業中、支持体ベルト７はガイド成形部材８によって極めて良好に保持されている。
【００２８】
図２乃至図４に示した実施例では支持体ベルト７は平ベルトとして、図５に示した実施例ではＶベルトとして形成されている。両者何れの場合も支持体ベルトは付加的に歯付きベルトとして構成されていてもよい。
【００２９】
平ベルトは、そのクリーニング側に複数列の剛毛を設けねばならない場合に有利であるのに対して、Ｖベルトは、該支持体ベルト７の外側に１列の剛毛が配置されている場合に特に有利である。
【００３０】
図１及び図５から特に判るように、ガイド成形部材８の、外向き変位可能な又は可撓性の前部部分８ａは変向ガイドローラ５の近傍に配置されており、該変向ガイドローラから支持体ベルト７はガイド成形部材８内へ進入する。ここでは前記のような外向き変位によって支持体ベルト７には、逆方向に向かって作用する適当な張力が特に良好に得られ、この張力は図５に示した挿通時に有用である。
【００３１】
図１及び図５において概略的に夫々図示したようにガイド成形部材８の、変位可能又は旋回可能又は撓み可能な前部部分８ａには作業シリンダ１２が係合している。しかし又、クリーニング用具２の上側用具区分３と下側用具区分４との間に適当な仕方で係合しているか又は支承されているレバーによる変位操作も可能である。
【００３２】
図６では、支持体ベルト７を有していてエンドレスに循環するクリーニング用具２が、片側にか又は両側に互いに対向して配設したサイド切欠部９に基づいてガイド成形部材８から、いかに良好に抜き取られ得るかが図示されている。このためにガイド成形部材８はクリーニング作業側区分（本実施例では要するに下側用具区分４）から、図６に矢印Ｐｆ２によって示したように離反運動可能又は離反旋回可能に構成されている。これによって、互いに対向し合ったサイド切欠部９間の支持体ベルト７の狭幅部位に後続するベルト部分は、ガイド成形部材８の内向き運動時に該ガイド成形部材から脱出走行することができる。ガイド成形部材が対向側の用具区分の方へ向かって内向きに運動することによってベルト張力は、支持体ベルト７の狭幅域が開口スロット１０を通ってガイド成形部材８から脱出するために活用されるので、前記狭幅域の脱出が実現すると、それに続いて後続ベルト部分はガイド成形部材８の外部を走行し、従って１周回した後に支持体ベルト７はもはやガイド成形部材８の内部を走行せず、逆に挿通の場合は、支持体ベルトは事実上１周回未満の循環運動で、ガイド成形部材の領域内へ完全に進入することができる。
【００３３】
２つの極度に単純な手段によって、つまりガイド成形部材８の前部部分８ａの変位可能性と、支持体ベルト７の縦辺側に沿ったサイド切欠部９の配設とによつて、該支持体ベルト７を含めてのクリーニング用具２の交換が著しく簡便化される。支持体ベルト７の側面に面取りを施したことによって、要するに変向ガイドローラ５の近傍でガイド成形部材８を、支持体ベルト７の標準経路外に移動させて押し出せば、エンドレスベルト状に構成されたブラシは事実上自動的に挿通される訳である。サイド切欠部９の領域内の狭幅部位が、押し出されたガイド成形部材８に到達すると即座に支持体ベルト７は作業位置に弾発的に嵌入するので、１周回を終えるとエンドレスブラシ全体は正規の位置に達した状態になる。次いでガイド成形部材８は前部部分８ａにおける負荷が再び解除されるので、該ガイド成形部材は全体的に伸直した姿勢をとる。ほぼ同じようにガイド成形部材８の前部部分８ａの区域を内向きに引張ることによって、支持体ベルト７の自動的な抜き取りが可能である。この内向きの引張りによって支持体ベルト７はガイド成形部材から自動的に跳ね出るので、次いで該ガイド成形部材から支持体ベルトを手で簡単に引き出すことが可能である。
【図面の簡単な説明】
【図１】ガイド成形部材の前部部分を外方へ変位させた状態で示した２つの変向ガイドローラをめぐって循環する剛毛植設用の支持体ベルトをクリーニング用具として備えた本発明によるクリーニング装置の側面図である。
【図２】本来エンドレスに循環する剛毛植設用の支持体ベルト部分、つまりサイド切欠部によって狭幅にされたベルト領域の斜視図である。
【図３】サイド切欠部を有する剛毛植設用の支持体ベルトとガイド成形部材を使用位置で示した部分的な斜視図である。
【図４】剛毛植設用の支持体ベルトの一部分をガイド成形部材内に係合させた状態で、また剛毛植設用の支持体ベルトのその他の部分をガイド成形部材から外した状態で示したほぼ図３相当の斜視図である。
【図５】１列の剛毛列を備えた支持体ベルトの挿通操作を示す斜視図である。
【図６】図５とは逆向きに内方に向かってガイド成形部材を移動させてサイド切欠部の領域で支持体ベルトをガイド成形部材から脱出させる状態で示した図５相当の斜視図である。
【符号の説明】
１    クリーニング装置、  ２    クリーニング用具、  ３    上側用具区分、  ４    下側用具区分、  ５，６    変向ガイドローラ、  ７    支持体ベルト、  ７ａ    内面、  ８    ガイド成形部材、  ８ａ    前部部分、  ９    サイド切欠部、  １０    開口スロット、  １１    剛毛、  １２    作業シリンダ
【図１】
0003976842.tif 000002
【図２】
0003976842.tif 000003
【図３】
0003976842.tif 000004
【図４】
0003976842.tif 000005
【図５】
0003976842.tif 000006
【図６】
0003976842.tif 000007